(57)【特許請求の範囲】
【請求項１】
タイヤ付ホイール（ＴＷ）を取り付けおよび／または取り外しするための装置であって、
−支持構成要素（２）と、
−摺動方向（Ａ−Ａ）に沿って前記支持構成要素（２）に対して摺動可能であるように前記支持構成要素（２）に接続されるステム構成要素（３）とを含み、前記ステム構成要素（３）は第１の端部（３ａ）および第２の端部（３ｂ）を含み、前記ステム構成要素（３）は、前記第２の端部（３ｂ）にて、または、前記ステム構成要素（３）の前記第１の端部（３ａ）と前記第２の端部（３ｂ）との間を延在する中間部分（３ｃ）にて、前記支持構成要素（２）に摺動可能に接続され、前記装置はさらに、
−前記摺動方向（Ａ−Ａ）に対して実質的に横断するかまたは直交する少なくとも１つの接合軸（ｙ−ｙ，ｚ−ｚ）について、前記ステム構成要素（３）に接合される作業工具（４）を含み、前記作業工具（４）は、前記ステム構成要素（３）の移動が前記摺動方向（Ａ−Ａ）に沿って駆動される間に前記作業工具（４）の第１の端部または処理端部（４ａ）へ前記タイヤ付ホイール（ＴＷ）のリム（Ｗ）および／またはタイヤ（Ｔ）により加えられる反力によって、静止位置と少なくとも１つの運動位置との間で前記ステム構成要素（３）に対して角度運動可能なように前記ステム構成要素（３）に接合されており、前記作業工具（４）は、前記ステム構成要素（３）の前記第１の端部（３ａ）に対して近位で、かつ、前記ステム構成要素（３）の前記第２の端部（３ｂ）から遠位で、前記ステム構成要素（３）に接合されており、前記装置はさらに、
−前記摺動方向（Ａ−Ａ）に沿って前記支持構成要素（２）に対して前記ステム構成要素（３）の滑動を駆動するように設計される作動手段（９）を含み、
前記ステム構成要素（３）は、前記摺動方向（Ａ−Ａ）に実質的に整列した延在主軸（ｘ−ｘ）を有する、装置。
【請求項２】
前記作動手段（９）は、収縮位置と延在位置との間での前記摺動方向に沿った前記ステム構成要素（３）の滑動を制御することにより、タイヤ（Ｔ）の部分とそれぞれのリム（Ｗ）の部分との間での前記作業工具（４）の挿入または引抜と、前記タイヤ（Ｔ）の部分の把持とを決定するように構成されることを特徴とする、請求項１に記載の装置。
【請求項３】
前記ステム構成要素（３）は、前記作業工具（４）のための推力および支持要素であり、前記ステム構成要素（３）は、前記作業工具（４）の重量を支持することを特徴とする、請求項１または２に記載の装置。
【請求項４】
前記装置は少なくとも１つの掛金要素（５）を含み、前記掛金要素（５）は、第１の接合軸（ｙ−ｙ）について前記作業工具（４）に一方の側上で接合され、第２の接合軸（ｚ−ｚ）について前記ステム構成要素（３）に他方の側上で接合されており、前記第１および第２の接合軸（ｙ−ｙ，ｚ−ｚ）は互いに実質的に平行であり、前記作業工具（４）は、前記掛金要素（５）によってまたは前記掛金要素（５）の介在によって前記ステム構成要素（３）に接合されることを特徴とする、請求項１〜３のいずれか１項に記載の装置。
【請求項５】
前記ステム構成要素（３）の前記第１の端部（３ａ）と前記作業工具（４）との間の距離は、前記ステム構成要素（３）の前記第２の端部（３ｂ）と前記作業工具（４）との間の距離よりも、実質的に前記ステム構成要素（３）の長さだけ短いか、または、前記ステム構成要素（３）の前記第２の端部（３ｂ）と前記作業工具（４）との間の距離は前記ステム構成要素（３）の長さと実質的に等しいことを特徴とする、請求項１〜３のいずれか１項に記載の装置。
【請求項６】
前記作動手段は少なくとも１つのシリンダ（９）を含み、前記ステム構成要素（３）の前記第２の端部（３ｂ）は、前記シリンダ（９）内に摺動可能にマウントされるとともに、液体または気体を前記シリンダ（９）に挿入または前記シリンダ（９）から吸引することにより移動可能であることを特徴とする、請求項１〜５のいずれか１項に記載の装置。
【請求項７】
前記装置は、基部（１３）と、使用の際に前記基部（１３）から上方向に突出するとともに前記支持構成要素（２）を支持するカラム（１４）とを含み、前記支持構成要素は長手方向軸（ｗ−ｗ）を有するアーム（２ａ）を含み、前記ステム構成要素（３）は、前記ステム構成要素（３）の前記摺動方向（Ａ−Ａ）が前記アーム（２ａ）の前記長手方向軸（ｗ−ｗ）に対して実質的に横断するかまたは直交するように前記アーム（２ａ）に接続されることを特徴とする、請求項１〜６のいずれか１項に記載の装置。
【請求項８】
前記支持構成要素（２）は、前記アーム（２ａ）に対して摺動可能にマウントされるとともに前記作動手段（９）を支持するスリーブ要素（２ｂ）を含み、前記支持構成要素（２）は、前記アーム（２ａ）に対して前記スリーブ要素（２ｂ）の位置をロック・アンロックするためのロッキング・アンロッキング手段（１０）をさらに含むことを特徴とする、請求項７に記載の装置。
【請求項９】
前記ステム構成要素（３）は、前記スリーブ要素（２ｂ）に摺動可能にマウントされることを特徴とする、請求項８に記載の装置。
【請求項１０】
前記支持構成要素（２）は、前記アーム（２ａ）から延在するチューブ状要素（２ｃ）を含み、前記スリーブ要素（２ｂ）は、前記チューブ状要素（２ｃ）に摺動可能にマウントされるとともに、前記ロッキング・アンロッキング手段（１０）によって、それに対して適切な位置に固定可能であることを特徴とする、請求項８または９に記載の装置。
【請求項１１】
前記作業工具（４）は、前記タイヤ付ホイール（ＴＷ）を取り付けまたは取り外ししている間に前記タイヤ付ホイール（ＴＷ）のリム（Ｗ）および／またはタイヤ（Ｗ）によって前記作業工具（４）の前記処理端部（４ａ）に加えられる反力によって前記作業工具（４）が前記ステム構成要素（３）に対して角度運動可能であるような態様で、前記ステム構成要素（３）に接合される第２の端部（４ｂ）または中間部分を有することを特徴とする、請求項１〜１０のいずれか１項に記載の装置。
【請求項１２】
前記作動手段（９）は、前記摺動方向（Ａ−Ａ）に沿った第１および第２の移動方向に沿って前記ステム構成要素（３）の滑動を駆動して、前記ステム構成要素（３）と同じ移動方向に前記作業工具（４）の前記第２の端部（４ｂ）または前記中間部分を移動させるように作動可能であることを特徴とする、請求項１１に記載の装置。
【請求項１３】
前記ステム構成要素（３）の長手方向軸（ｘ−ｘ）または前記ステム構成要素（３）の前記第１の端部（３ａ）の部分の長手方向軸（ｘ−ｘ）は、前記作業工具（４）が前記静止位置にある場合に、前記作業工具（４）の長手方向軸または前記作業工具の前記第２の端部（４ｂ）の部分の長手方向軸に実質的に整列して配されることを特徴とする、請求項１１または１２に記載の装置。
【請求項１４】
前記装置は、第１の回転方向における前記ステム構成要素（３）に対する前記作業工具（４）の角度運動を停止するための停止手段（１２ａ，１２ｂ）を含み、前記停止手段（１２ａ，１２ｂ）は、前記第１の回転方向と反対の第２の回転方向における前記作業工具（４）の角度運動のみを可能にすることを特徴とする、請求項１〜１３のいずれか１項に記載の装置。
【請求項１５】
前記支持構成要素（２）を支持する少なくとも１つの基部（１３）を含み、前記支持構成要素（２）は、回転軸（ｋ−ｋ）について前記基部（１３）に旋回されるため、前記ステム構成要素（３）および前記作業工具（４）とともに前記支持構成要素（２）を、前記基部（１３）に対して作動位置と横転位置との間に移動させることが可能であることを特徴とする、請求項１〜１４のいずれか１項に記載の装置。
【請求項１６】
前記作動手段（９）は、収縮位置から延在位置までの前記ステム構成要素（３）の滑動を制御することによりタイヤ（Ｔ）の部分とそれぞれのリム（Ｗ）の部分との間に前記作業工具（４）を挿入するかまたは前記作業工具（４）の深い挿入を行い、前記静止位置と前記少なくとも１つの運動位置との間に前記作業工具（４）を移動させるように構成され、かつ、前記作動手段（９）は、前記延在位置からの前記ステム構成要素（３）の後方向の摺動を制御して、タイヤ（Ｔ）の第１のビード（Ｔ１）の把持された部分が前記リム（Ｗ）のそれぞれの第１の縁部（Ｗ１）を越えるかまたは前記リム（Ｗ）の第１の縁部（Ｗ１）と第２の縁部（Ｗ２）との間のゾーンの外側にある状態で前記作業工具（４）を変位して前記作業工具を前記少なくとも１つの運動位置と前記静止位置との間に移動させるように構成されることを特徴とする、請求項１〜１５のいずれか１項に記載の装置。
【請求項１７】
前記作動手段（９）は、前記摺動方向（Ａ−Ａ）に沿ってまたは前記摺動方向（Ａ−Ａ）に平行に前記作業工具（４）の滑動を制御するように意図されることを特徴とする、請求項１〜１６のいずれか１項に記載の装置。
【請求項１８】
タイヤ取り付け・取り外しマシンであって、請求項１〜１７のいずれか１項に記載の少なくとも１つの装置と、タイヤ付ホイール（ＴＷ）のリム（Ｗ）の支持および制限手段とを含む、タイヤ取り付け・取り外しマシン。
【請求項１９】
前記支持および制限手段は、対称および回転軸（ｑ−ｑ）でリムまたはタイヤ付ホイールを支持するように構成され、前記ステム構成要素（３）の前記摺動方向（Ａ−Ａ）は、前記対称および回転軸（ｑ−ｑ）に少なくとも部分的に整列するかまたは平行であることを特徴とする、請求項１８に記載のマシン。
【請求項２０】
前記支持および制限手段は、電動式であるとともに回転可能であり、リムまたはその上にマウントされるタイヤ付ホイールを回転軸（ｑ−ｑ）について回転するよう構成されており、前記ステム構成要素（３）の前記摺動方向（Ａ−Ａ）は、前記回転軸（ｑ−ｑ）に少なくとも部分的に整列するかまたは平行であることを特徴とする、請求項１８または１９に記載のマシン。
【請求項２１】
請求項１６に記載の装置を用いてタイヤ付ホイール（ＴＷ）のリム（Ｗ）からタイヤ（Ｔ）を取り外しするための方法であって、
−取り外されるタイヤ付ホイール（ＴＷ）を適切な位置にロックするステップと、
−前記作業工具（４）を有する前記装置を、前記タイヤ（Ｔ）および前記リム（Ｗ）が接触する前記タイヤ付ホイール（ＴＷ）の周辺エリアに配するステップとを含み、前記ステム構成要素（３）に対する前記作業工具（４）の前記接合軸（ｙ−ｙ，ｚ−ｚ）は、処理される前記タイヤ付ホイール（ＴＷ）の前記リム（Ｗ）の対称軸（ｑ−ｑ）に実質的に直交し、前記方法はさらに、
−前記摺動方向（Ａ−Ａ）に沿って収縮位置から延在位置に前記ステム構成要素（３）を移動させるように前記作動手段（９）を制御し、かつ、これによって前記タイヤ（Ｔ）の前記第１のビード（Ｔ１）の部分と前記リム（Ｗ）の第１の縁部（Ｗ１）の部分との間に前記作業工具（４）を挿入し、これにより、前記リム（Ｗ）および／または前記タイヤ（Ｔ）によって前記作業工具（４）の前記第１の端部または処理端部（４ａ）に加えられる反力によって、前記作業工具（４）がその自由端部（４ａ）によって前記タイヤ（Ｔ）の前記第１のビード（Ｔ１）の部分を把持するまで、前記ステム構成要素（３）に対する前記作業工具（４）の角度運動を決定するステップと、
−前記作動手段（９）を後方に制御して、前記収縮位置にまたは前記収縮位置に向かって前記摺動方向（Ａ−Ａ）に沿って前記ステム構成要素（３）を後方に移動させ、かつこれにより、前記第１のビード（Ｔ１）の把持された部分が前記リム（Ｗ）のそれぞれの第１の縁部（Ｗ１）を越えるかまたは前記リム（Ｗ）の前記第１の縁部（Ｗ１）と前記第２の縁部（Ｗ２）との間のエリアの外側にある状態で前記作業工具（４）を移動させるステップと、
−前記タイヤ（Ｔ）の前記第１のビード（Ｔ１）の取り外しを完了するために前記タイヤ付ホイール（ＴＷ）または前記装置を回転するようにするステップと、
−前記タイヤ（Ｔ）の前記第１のビードとは反対側の第２のビード（Ｔ２）を取り外すステップとを含む、方法。
【請求項２２】
前記作業工具（４）は、前記ステム構成要素（３）を延在位置から収縮位置に移動させるように前記作動手段（９）を作動させることによって、前記リム（Ｗ）の前記第１の縁部（Ｗ１）と前記第２の縁部（Ｗ２）との間のエリアの外側に配されることを特徴とする、請求項２１に記載の方法。
【請求項２３】
前記ステム構成要素（３）の前記摺動方向（Ａ−Ａ）は、処理される前記タイヤ付ホイール（ＴＷ）の前記リムの対称軸（ｑ−ｑ）に少なくとも部分的に実質的に整列されるかまたは平行であることを特徴とする、請求項２１または２２に記載の方法。
【発明の詳細な説明】
【技術分野】
【０００１】
発明の技術分野
本発明は、タイヤ付ホイールを取り付け・取り外しするための装置と、このような装置が設けられるタイヤ取り付け・取り外しマシンと、タイヤ付ホイールのリムからタイヤを取り外しするための方法とを指す。
【背景技術】
【０００２】
先行技術の現状
これまで、基部と、基部から立ち上がるカラムと、取り付け・取り外し工具のための１つ以上の支持アームとを通常備える多くのタイヤ取り付け・取り外しマシンが提案されている。取り付けおよび取り外しステップの間、このような工具は通常、手動で作動されるか、または、それぞれのアクチュエータを通じて駆動される。これに関しては、たとえば、欧州特許ＥＰ１３９８１８４Ｂ１またはＥＰ１１７７９２０Ｂ１を参照のこと。
【０００３】
このようなマシンは製造するのがかなり複雑であり、すべての作業ステップの間、当該工具の制御動作が行なわれる必要がある。
【０００４】
たとえば欧州特許ＥＰ１７１４８０７Ｂ１およびＥＰ２５２４８２１Ｂ１を参照して、別のタイプのタイヤ取り付け・取り外しマシンによると、これらの工具は、取り付け・取り外しされるホイールのリムまたはタイヤの反力に基づいて、少なくとも部分的に駆動または角度運動される。
【０００５】
ＣＮ２０２３１９７６３Ｕは、現状技術に従った別のソリューションを教示する。
【先行技術文献】
【特許文献】
【０００６】
【特許文献１】ＥＰ１３９８１８４Ｂ１
【特許文献２】ＥＰ１１７７９２０Ｂ１
【特許文献３】ＥＰ１７１４８０７Ｂ１
【特許文献４】ＥＰ２５２４８２１Ｂ１
【特許文献５】ＣＮ２０２３１９７６３Ｕ
【発明の概要】
【発明が解決しようとする課題】
【０００７】
発明の目的
本発明の主な目的は、タイヤ付ホイールを取り付け・取り外しするための新規な装置を提供することである。
【０００８】
本発明の別の目的は、効率的かつ迅速なタイヤ付ホイールの取り付けおよび／または取り外しを可能にする、タイヤ付ホイールを取り付け・取り外しするための装置を提供することである。
【０００９】
本発明の別の目的は、特に作業プロセスまたは作業プロセスの後のサイクルにおいて容易に動作位置に位置決めされ得る、タイヤ付ホイールを取り付け・取り外しするための装置を提供することである。
【００１０】
本発明の別の目的は、新規なタイヤ取り付け・取り外しマシンを提供することである。
【課題を解決するための手段】
【００１１】
本発明のある局面に従うと、請求項１に記載の装置が予見される。
本発明の別の局面に従うと、請求項１８に記載のタイヤ取り付け・取り外しマシンが予見される。
【００１２】
本発明の別の局面に従うと、請求項２１に記載の取り外し方法が予見される。
従属項は、本発明の好ましく有利な実施形態を指す。
【００１３】
本発明の他の特性および利点は、添付の図面において参照目的のために示される取り付け・取り外し装置の実施形態の説明からより明確になるであろう。
【図面の簡単な説明】
【００１４】
【図１】本発明に従った取り付け・取り外し装置を若干上からおよびその一方から見た斜視図である。
【図２】図１の装置を上からおよび別の側から見た斜視図である。
【図３】図１の装置の部分の断面図である。
【図４】図１の装置の展開図である。
【図５】図１の装置を備える本発明に従ったタイヤ取り付け・取り外しマシンの部分透明正面図である。
【図６】装置が作動位置にある状態の図５のマシンの側面図である。
【図７】装置が横転位置にある状態の図５のマシンの側面図である。
【図８】本発明に従った装置による取り外しステップを示す図である。
【図９】本発明に従った装置による取り外しステップを示す図である。
【図１０】本発明に従った装置による取り外しステップを示す図である。
【図１１】本発明に従った装置による取り外しステップを示す図である。
【発明を実施するための形態】
【００１５】
添付の図面において、同様の部分または構成要素には、同様の参照番号がマーキングされる。
【００１６】
本発明の実施形態
図１〜図７を参照して、本発明に従ったタイヤ付ホイールを取り付けおよび／または取り外しするための装置１が示されており、当該装置１は、支持構成要素２と、摺動方向Ａ−Ａに沿って支持構成要素２に対して摺動可能なように支持構成要素２に接続される延在またはステム構成要素３とを含む。
【００１７】
延在またはステム構成要素３は、第１の端部３ａおよび第２の端部３ｂを含んでおり、たとえば後でより明確に説明されるように、第２の端部３ｂにて、または、第１の端部３ａと第２の端部３ｂとの間を延在するその中間部分３ｃにて、支持構成要素２に摺動可能に接続される。好ましくは、延在またはステム構成要素３は、実質的に摺動方向Ａ−Ａに整列する延在主軸ｘ−ｘを有する。好ましくは、延在またはステム構成要素３は、実質的に垂直であるかまたは垂直線に対して若干傾いたトリムを有するように構成されており、これは特にタイヤ取り付け・取り外しマシンの場合、回転軸に垂直であるかまたは垂直線に対して若干傾いた状態でホイールが配される。
【００１８】
当該装置はさらに作業工具４を含んでおり、作業工具４は、摺動方向Ａ−Ａに対して実質的に横断するかまたは垂直である少なくとも１つの接合軸ｙ−ｙ，ｚ−ｚについて延在またはステム構成要素３に接合される。さらに、作業工具４は、延在またはステム構成要素３の第１の端部３ａに近位であり、かつ、第２の端部３ｂから遠位に接合される。これに関し、有利なことに、延在またはステム構成要素３の長手方向軸（ｘ−ｘ）あるいは延在またはステム構成要素３の第１の端部３ａの部分の長手方向軸（ｘ−ｘ）は、少なくとも作業工具４が以下においてさらに論じられる静止位置に存在する場合、作業工具４の長手方向軸あるいは作業工具の第２の端部４ｂの部分の長手方向軸に実質的に整列するように配される。しかしながら、このような位置においても、作業工具４は延在またはステム構成要素３に対して好ましくは若干傾斜し得る。
【００１９】
好ましくは、使用の際、延在またはステム構成要素３に対する作業工具４の接合軸ｙ−ｙ，ｚ−ｚは、処理される（取り付け・取り外しされる）タイヤ付ホイールのリムの対称軸ｑ−ｑに対して実質的に垂直である。さらにより好ましくは、延在またはステム構成要素３の摺動方向Ａ−Ａは、完全に（特に、延在またはステム構成要素３が実質的に真っすぐであるか、または、真っすぐな長手方向軸を有する場合）あるいは部分的に（特に、延在またはステム構成要素３が実質的に湾曲される場合）、処理される（取り付け・取り外しされる）タイヤ付ホイールのリムの対称軸ｑ−ｑに実質的に整列されるかまたは平行である。
【００２０】
有利なことに、作業工具４は、使用の際、すなわち、タイヤ付ホイールの取り付けまたは取り外しの間、方向Ａ−Ａに沿った延在またはステム構成要素３の移動が駆動または制御されつつ、タイヤ付ホイールＴＷのリムＷおよび／またはタイヤＴにより作業工具４に加えられる反力によって延在またはステム構成要素３に対して角度運動可能なように延在またはステム構成要素３に接合される。
【００２１】
有利なことに、延在またはステム構成要素３は、作業工具４のための推力要素（thrusting element）を構成する。「推力」という用語は、以下においてより明確にされるように、延在またはステム構成要素３の作動の際、処理されるタイヤ付ホイールＴＷのリムＷまたはタイヤＴに工具が当接または係合する場合に、工具を角度運動させる傾向がある反力がそれに適用されるとともに（工具の）運動が摺動方向Ａ−Ａに沿ってまたはそれに平行に実際に妨げられるかまたは部分的に阻まれても、作業工具４が好ましくは、延在またはステム構成要素３と同じ方向または摺動方向と平行に移動するよう制御されることを意味する。さらに、延在またはステム構成要素３が異なった態様で構成される場合、たとえば湾曲される場合、工具は摺動方向Ａ−Ａに沿ってまたはそれに平行に移動され得ない。
【００２２】
さらにより有利なことに、延在またはステム構成要素３は、作業工具４のための推力および支持要素を構成する。「支持」という用語は、作業工具４が延在またはステム構成要素３によって支持される、すなわち、（以下においてより明確にされるように、所望の場合、掛金要素のような中間構成要素の介在を伴って）延在またはステム構成要素３が工具４の重量を支持し、したがって、それを持ち上げておくことを意味する。
【００２３】
好ましくは、作業工具４は、実質的に自由な第１の端部または処理端部４ａと、第２の端部４ｂまたは中間部分とを有する。当該第２の端部４ｂまたは中間部分は、有利なことに、延在またはステム構成要素３の移動が駆動または制御されつつ、工具４による取り付けまたは取り外しの間にタイヤ付ホイールＴＷのリムＷおよび／またはタイヤＴにより処理工具４の処理端部４ａに加えられる反力によって作業工具が延在またはステム構成要素３に対して角度運動可能であるように延在またはステム構成要素３に接合される。
【００２４】
工具４は、タイヤのビードを係合するための自由端４ａを有する実質的に板状の構成を有し得、当該実質的に板状の構成は、たとえば湾曲しており、所望の場合には、工具４のそれぞれの係合ゾーンの境界を定めるように意図される１つまたは対のくぼみまたは拡大部分４ｃ，４ｄを有する。
【００２５】
作業工具４は、接合軸ｙ−ｙおよびｚ−ｚについて、延在またはステム構成要素３あるいはその第１の端部３ａに直接的に、すなわち、接続ロッドまたは掛金要素の介在なしで、接合もしくはヒンジ付けされ得るか、あるいは、接続ロッドもしくは掛金のような接合構成要素の介在を伴って接合もしくはヒンジ付けされ得る。これに関し、図に示される非限定的な実施形態を特に参照して、装置１は、少なくとも１つの掛金要素５を含んでおり、掛金要素５は、一方の側上にて、第１の接合軸ｙ−ｙについて第１のピン６ａによって作業工具４または第２の端部４ｂもしくはその中間部分に接合またはヒンジ付けされ、他方の側上にて、第２の接合軸ｚ−ｚについて第２のピン６ｂによって延在またはステム構成要素３に接合またはヒンジ付けされ、第１の接合軸ｙ−ｙおよび第２の接合軸ｚ−ｚは互いに実質的に平行である。この場合、工具４は、掛金要素５によっておよび掛金要素５の介在によって、延在またはステム構成要素３に接合される。
【００２６】
図（特に図３および図４を参照）に示される非限定的な実施形態に従うと、掛金要素５は、延在またはステム構成要素３への接合のための第１の端部５ａを含み得、第１の端部５ａは、たとえば実質的に分岐し、かつ、第２のピン６ｂによる延在またはステム構成要素３の第１の端部３ａの収容およびヒンジ付けシートの境界を定める。
【００２７】
当該装置はさらに、一方の側上において掛金要素５の第２の端部５ｂに第１のピン６ａによってヒンジ付けされ得るとともに他方の側上において工具４に接続され得るブロック構成要素７を含み得る。もちろん、代替的には、工具４の第２の端部４ｂは、掛金要素５に直接的にヒンジ付けまたは接合され得る。
【００２８】
より詳細には、図に示される非限定的な実施形態を再び参照して、ブロック構成要素７は、一方の側上で、掛金要素５の第２の端部５ｂを収容およびヒンジ付けするための架台７ａの境界を定め得、他方の側上で、所望の場合に実質的にサイズ変更する、工具４の第２の端部４ｂの挿入チャネル７ｂの境界を定め得る。挿入チャネル７ｂは、実質的にＣ型形状であり、工具４に向かって開口し得るので、その中に工具４の第２の端部４ｂを挿入することが可能であり、したがって、所望の場合、工具４への接続の後に、ブロック構成要素７において係合し得る爪部８によって工具４を適切な位置でブロックすることが可能である。基本的に、ブロック構成要素７が設けられる場合、工具４は、ブロック構成要素７に対して実質的に固定されるか、または、固定されることが可能である。
【００２９】
掛金要素５が設けられる場合、有利なことに、延在またはステム構成要素３は、摺動方向に沿ってまたはそれに平行に作業工具４を押し動かす、掛金要素５の推力要素を構成する。さらにより有利なことに、延在またはステム構成要素３は、作業工具４および掛金要素５のための推力および支持要素を構成しており、これは、作業工具４および掛金要素５の両方が延在またはステム構成要素３によって支持されることを意味する。
【００３０】
有利なことに、延在またはステム構成要素３の第１の端部３ａと作業工具４との間の距離、より具体的には、第１の端部３ａと工具４の第２の端部４ｂとの間の距離は、延在またはステム構成要素３の第２の端部３ｂと工具４との間の距離、より具体的には、第２の端部３ｂと工具４の第２の端部４ｂとの間の距離よりも、実質的に延在またはステム構成要素３の延在部または長さだけ低いか、あるいは、工具４が延在構成要素３に直接的に接合されるのであれば、第２の端部３ｂと工具４との間の距離は、延在またはステム構成要素３の延在部または長さと実質的に等しい。
【００３１】
たとえば掛金要素５の介在を伴う延在またはステム構成要素３への工具の接合は、延在またはステム構成要素３に工具をヒンジ付けするか、または、延在またはステム構成要素にヒンジ付けされた掛金要素５に工具をヒンジ付けし、所望の場合にはさらに、たとえばピン６ａおよび／または６ｂのような接合ピンにマウントされるばねのような弾性負荷手段を設けることにより得られ得る。上記の弾性負荷手段は、延在またはステム構成要素３に対する、また、予見される場合には、掛金要素５に対する工具４の角度運動を抑制するように意図されるが、このような弾性負荷手段は、このような角度運動を制限するが防止はしない。
【００３２】
当該装置は基本的に好ましくは、アクチュエータのような、延在またはステム構成要素３に対する工具４の能動的な角度運動手段、または、予見されるならば、掛金要素５に対する工具４の能動的な角度運動手段および延在またはステム構成要素３に対する掛金要素５の能動的な角度運動手段を備えない。
【００３３】
所望の場合、掛金要素５が予見されるのであれば、掛金要素５への工具４の接合軸ｙ−ｙおよび延在またはステム構成要素３への掛金要素５の接合軸ｚ−ｚは、（少なくとも装置の静止位置において）摺動方向Ａ−Ａを貫通する垂直面に沿って実質的に整列される。
【００３４】
所望の場合に弾力的に負荷がかけられたピンの代替例として、延在またはステム構成要素３への工具４の接合は、工具あるいは延在またはステム構成要素３に１つ以上のスロットを形成し、かつ、摺動可能にスロットに係合するように意図されるピンを延在またはステム構成要素３と工具４との間の他方の一端に固定することによって、得られ得る。
【００３５】
当該装置はさらに、摺動方向Ａ−Ａに沿った支持構成要素２に対する延在またはステム構成要素３の滑動と、摺動方向Ａ−Ａに沿ったまたはそれに平行な工具４の摺動とを駆動するよう設計される作動手段９を含む。工具４はたとえば、延在構成要素３または工具４がそれぞれＬ字状に形状決めされた端部３ａまたは４ｂを有する場合、あるいは、工具４と、工具４に実質的に垂直であるかまたは横断する延在またはステム構成要素３との間に中間要素（所望の場合、掛金要素５）が予見される場合、摺動方向Ａ−Ａに平行な方向に沿って移動可能であり得る。
【００３６】
なお、上述したように、工具４が、処理されるホイールＴＷのリムＷまたはタイヤＴに当接または係合する場合、ホイールＴＷのリムＷまたはタイヤＴは工具の角度運動を決定する反力を工具に適用し、したがって、延在またはステム構成要素３の移動が摺動方向Ａ−Ａに沿ってまだ要求されても、摺動方向Ａ−Ａに沿った工具の移動は妨げられるかまたは部分的に遮られる。さらに上述したように、工具は摺動方向Ａ−Ａに沿ってまたはそれに平行に移動され得ない。
【００３７】
有利なことに、作動手段は少なくとも１つのシリンダ９を含み、延在またはステム構成要素３の第２の端部３ｂは、シリンダ９に摺動可能にマウントされ、かつ、シリンダ９への液体もしくは気体の挿入またはシリンダ９からの液体もしくは気体の吸引により移動され得る。シリンダ９はさらに、たとえば圧力下で、好適な流体源（気体または液体）と流体連通している。このような変形例に従うと、延在またはステム構成要素３およびシリンダ９は、空気アクチュエータ、油圧アクチュエータ、または電動アクチュエータを実際に構成する。このような記述はどのように以前に述べられたものと矛盾しないかということが理解され得る。なぜならば、延在またはステム構成要素３は、実際にアクチュエータの一部であり得るが、工具の角度運動を決定しないが摺動方向Ａ−Ａに沿った運動またはそれに平行なその運動のみを決定する一方、工具の角度運動は実際には、当該装置を通じて取り付けまたは取り外しされるタイヤ付ホイールのリムおよび／またはタイヤの反力によるので、装置は、アクチュエータのような、延在またはステム構成要素３に対する工具４の能動的な角度運動手段を備えていないということを繰り返し言及しているからである。
【００３８】
さらに、理解されるように、作動手段はさらに上記のものとは異なり得、たとえば、延在またはステム構成要素のラック部分の平行移動に従事および駆動するよう意図されるピニオンか、あるいは、延在またはステム構成要素の移動を駆動するように意図される再循環ボールねじシステムまたは電動モータもしくは別のタイプのモータを含む。
【００３９】
その場合でも、作動手段は好ましくは、摺動方向Ａ−Ａに沿って好ましくは反対方向である第１および第２の運動方向に沿って延在またはステム構成要素３の滑動を駆動するよう作動可能であり、これにより、延在またはステム構成要素３と同じ移動方向またはそれに平行に作業工具４の第２の端部４ｂまたは中間部分が付勢される。
【００４０】
さらに、作動手段９は、摺動方向Ａ−Ａに沿った収縮位置と延在位置との間で、延在またはステム構成要素３の滑動を制御するように構成され、これにより、タイヤＴの部分とそれぞれのリムＷの部分との間での作業工具４の挿入（取り付けの間）または引抜（取り外しの間）とタイヤＴの部分の把持とが上記反力の関数として決定される。
【００４１】
より具体的には、作業工具４は、たとえば延在またはステム構成要素３に対して作業工具４が実質的に整列され得る第１の位置または静止位置と、タイヤ付ホイールＴＷのリムＷおよび／またはタイヤＴによって工具または工具４の第１の端部に加えられる反力によって工具４が静止位置に対して角度運動される１つ以上の第２の位置、運動位置、または取り付け／取り外し位置との間で移動可能である。
【００４２】
掛金要素５が設けられる場合には、掛金要素５は、たとえば掛金要素５が延在またはステム構成要素３および／または工具４に対して実質的に整列され得る少なくとも１つの第１のトリムまたは静止トリムと、タイヤ付ホイールＴＷのリムＷおよび／またはタイヤＴによって工具または工具４の第１の端部４ａに加えられる反力の関数としてそれが静止位置に対して角度運動される１つ以上の第２の運動トリムとの間で移動可能である。
【００４３】
他方、延在またはステム構成要素３は、収縮位置と１つ以上の延在位置との間で摺動方向に沿って移動可能である。
【００４４】
好ましくはさらに、さまざまな取り付けまたは取り外しステップの間の延在またはステム構成要素３は、手動または自身の重量による制御されない態様で引き出され得ないという意味で制御された態様で、作動手段によって移動される。
【００４５】
他方、特に支持構成要素２に関し、支持構成要素２は、アームを含み得、たとえば有利なことに、所望の場合、実質的に水平である長手方向軸ｗ−ｗを有する片持ち梁アーム２ａを含み得、延在またはステム構成要素３は、延在またはステム構成要素の摺動方向Ａ−Ａが片持ち梁アーム２ａの長手方向軸ｗ−ｗに対して実質的に横断するまたは垂直であるようにアーム２ａに接続される。所望の場合であるが必須ではなく、作業工具４の接合軸ｙ−ｙ，ｚ−ｚは、アーム２ａの長手方向軸ｗ−ｗに実質的に横断するまたは垂直である。
【００４６】
好ましくは、支持構成要素２はさらに、所望の場合、スリーブ要素２ｂを含み、スリーブ要素２ｂは、実質的に垂直なトリムを有するように構成され、片持ち梁アーム２ａに対して摺動可能にマウントされ、かつ、所望の場合、上部にてたとえばシリンダ９といった作動手段を支持する。この場合、たとえばクランプ構成要素１０のような、片持ち梁アーム２ａに対するスリーブ要素２ｂの位置のロッキング・アンロッキング手段が存在することが予見される。このような変形例に従うと、延在またはステム構成要素３は、スリーブ要素２ｂに摺動可能にマウントされ得、したがって、延在またはステム構成要素３の滑動のためのガイド要素を構成し得る。片持ち梁アーム２ａに対してスリーブ要素２ｂの位置を調節することによって、特に延在主軸ｘ−ｘに沿うかまたは摺動方向Ａ−Ａに沿って、延在またはステム構成要素３の位置を調節することが確かに可能であり、また、所望の場合、支持アーム２ａに対するシリンダ９の位置を調節することが確かに可能である。
【００４７】
もちろん、延在またはステム構成要素３はスリーブ要素２ｂにマウントされ得ないが、その外部では、たとえば実質的にそれに平行である。
【００４８】
有利なことに、支持構成要素２はさらにチューブ状要素２ｃを含み、チューブ状要素２ｃは、所望の場合、実質的に垂直のトリムを有するように構成され、片持ち梁アーム２ａから延在し、かつ、片持ち梁アーム２ａに接続、所望の場合、溶接される。この場合、スリーブ要素２ｂは、チューブ状要素２ｃに摺動可能にマウントされ得、ロッキング・アンロッキング手段１０によってチューブ状要素２ｃに対して適切な位置に固定可能である。
【００４９】
クランプ構成要素１０に関し、クランプ構成要素１０は、空気的にまたは電気的に作動され得るとともに、スリーブ要素２ｂの部分が使用時にマウントおよび配置される貫通穴の境界を定める板１０ｂに関連してたとえばアクチュエータ１０ａを含み得るので、アクチュエータ１０ａを作動させることによって、スリーブ要素２ｂを係合する板１０ｂの移動を決定し、延在主軸ｘ−ｘに沿うかまたは摺動方向Ａ−Ａに沿ってその平行運動を防止する。アクチュエータ１０ａは、片持ち梁アーム２ａまたは予見されるならばチューブ状要素２ｃに接続または固定される、たとえば、溶接されるブラケット１０ｃによって支持され得る。
【００５０】
有利なことに、作動手段のシリンダ９は、予見される場合には、チューブ状要素２ｃによって、より具体的には、工具４から遠位のその端部にてマウントまたは支持されるフレーム１１によって、支持され得る。
【００５１】
作動手段９のための、また予見されるならば、ロッキング手段１０のための好適な制御手段またはボタンＣＢがさらに設けられ、当該制御手段またはボタンＣＢは、たとえば所望の場合、チューブ状要素２ｃから立ち上がるハンドル２ｄなどの上に存在することが予見され得る。
【００５２】
当該装置は、接合軸ｙ−ｙについて第１の回転方向における延在またはステム構成要素３に対する工具４の角度運動の停止手段１２ａを備え得、これにより、第１の方向と反対の第２の回転方向においてのみ作業工具４の角度運動が可能になる。停止手段は、当接要素と、所望の場合には、第１のロッド要素１２ａとを含み得、第１のロッド要素１２ａは、延在またはステム構成要素３に、および／または、予見される場合には掛金要素５に固定され、かつ、第１のロッド要素１２ａの上には、工具４が静止位置にある場合に第２の端部４ｂまたは予見される場合にはブロック構成要素７が当接する。
【００５３】
所望の場合、第２の当接要素１２ｂがさらに存在し、第２の当接要素１２ｂは、スリーブ要素２ｂに固定されるとともに、延在またはステム構成要素３が収縮位置にある場合に、接合軸ｙ−ｙについて第１の回転方向において、延在またはステム構成要素３に対する掛金要素５の角度運動を防止または停止することが意図されるが、これは反対方向における回転を妨げない。掛金要素５の第１の端部５ａは、静止トリムにある場合であってステム構成要素３が収縮位置にある場合には、第２の当接要素１２ｂに当接する。
【００５４】
本発明に従った装置はさらに、支持構成要素２を支持する基部１３を備え得る。
支持構成要素２、たとえば支持構成要素２の片持ち梁アーム２ａを特にその上部にて支持するカラム１４は、使用の際に基部１３から上方向に突出し得る。カラム１４は、支持構成要素２の片持ち梁アーム２ａが摺動可能にマウントされてたとえばクランプなどのような停止手段１６によって適切な位置に固定可能であるブッシュ構成要素１５を支持し得る。ブッシュ構成要素１５および停止手段１６の存在によって、処理される（取り付け・取り外しされる）ホイールの寸法または幅に適合するように、支持構成要素２と、特に支持アーム２ａと、したがって工具４とを動かすことが可能になる。代替的には、アーム２ａと、したがって工具４とを角度運動することが可能なように、または、旋回調節変位（slewing adjustment displacements）を行なわせることが可能なように、所望の場合に垂直軸について接合される片持ち梁アーム２ａを予見することが可能である。
【００５５】
有利なことに、支持構成要素２は、ピン１７により第１の回転軸ｋ−ｋについて基部１３へと旋回されるので、基部に対して作動位置（図６参照）と横転位置（図７参照）との間を、延在またはステム構成要素３および作業工具４とともに、支持構成要素２を移動させることが可能である。
【００５６】
より具体的には、これは、支持構成要素２を基部１３にヒンジ付けすることによって、または、たとえばブッシュ構成要素１５といった支持構成要素２をカラム１４にヒンジ付けすることによって得られ得る。
【００５７】
本発明に従うと、本発明に従った少なくとも１つの装置と、ホイール担持テーブル１８のようなタイヤ付ホイールＴＷのリムＷのための支持手段１８とを含むタイヤ取り付け・取り外しマシンも予見され、支持手段１８上にはタイヤ付ホイールＴＷのリムＷを配することが可能であり、リムＷはたとえば、いわゆる「センタリング」コーン１９が嵌合されるシャフトをテーブル１８に形成された孔に挿入し、その後、テーブル１８とセンタリングコーン１９との間にリムＷをクランプする制限手段によってクランプされる。別の好適なタイプの爪要素または爪構成要素のような他の支持および制限手段がさらに設けられ得る。
【００５８】
テーブルまたは爪部はたとえば、所望の場合、基部１３から立ち上る直立部２０によって支持され得る。代替的には、マシンおよび装置は互いに別個であってもよく、その場合には、装置は、自身の基部によって支持され得るとともに、必要な場合、支持および制限手段を備えるタイヤ取り付け・取り外しマシンに関連付けられ得るか、または、当該タイヤ取り付け・取り外しマシンに接近され得る。
【００５９】
支持手段１８は、電動式であるとともに回転可能であり、使用時に、支持手段１８にマウントされたリムまたはタイヤ付ホイールをリムＷの対称および回転軸ｑ−ｑに対応する第２の回転軸ｑ−ｑについて回転するよう構成され得る。代替的には、支持手段１８は固定され得、その場合には、装置またはその基部は回転可能であり得るか、または、ホイールにマウントされ得るので、支持手段１８にマウントされるリムまたはホイールのまわりに装置を引っ張ることが可能である。
【００６０】
さらに、支持手段は移動可能であり得、たとえば、昇降可能および／または水平方向に平行移動可能である。これは、本発明に従った装置の工具４に向かって／工具４から離れるように垂直方向および／または水平方向に支持手段１８を移動させるのに有用であり得る。この場合、調節可能な支持手段２を予見することは必要ではなく、特に、垂直方向または摺動方向に沿って移動することができるか、または、ブッシュ構成要素１５にマウントされて停止手段１６によって固定可能であるアーム２ａを予見することは必要ではない。
【００６１】
本発明に従った取り付け・取り外し装置により、まず、タイヤＴおよびリムＷを備えたタイヤ付ホイールがロックされる。たとえば支持手段１８上にタイヤ付ホイールを配し、その後、たとえば支持手段にさらに統合され得る（たとえば爪部の場合）好適な制限手段１９によって適切な位置にリムをロックする。その後、好適にはホイールは、所望の場合、本発明に従ったマシンにおいて、予見された好適なビード破壊工具により、ビード破壊されなければならない。
【００６２】
この点において、本発明に従った装置は、工具４が静止位置に、延在またはステム構成要素３が収縮位置に、掛金要素５が予見される場合は、このような掛金要素５が静止トリムに存在する状態で配される。
【００６３】
その後、装置１および／または支持手段１８は、工具４またはその第１の端部４ａをホイールＴＷの側に移動させてタイヤＴとリムＷとが接触するタイヤ付ホイールＴＷの周辺エリアの近くに配置し、好ましくはリムＷの第１の縁部Ｗ１の部分に載るおよび／またはタイヤＴのそれぞれの第１のビードＴ１の部分に載るように移動される。このような位置決めも、作動手段９を駆動して摺動方向において第１のトリムから第２のトリムに、すなわちタイヤ付ホイールＴＷの方へ延在またはステム構成要素３を移動することにより部分的に得られ得る。
【００６４】
この点において、作動手段９は、駆動されてまたは再駆動されて、特に摺動方向Ａ−Ａに沿って収縮位置から延在位置まで、延在またはステム構成要素３、たとえばその延在部をシリンダ９の外部に移動させる。これにより、工具４またはその第１の自由端４ａは、タイヤＴの第１のビードＴ１の部分とリムＷの第１の縁部Ｗ１の部分との間に深く挿入されるかまたは深く挿入するようにされる。この後、工具４は、特に静止位置とそれぞれの運動位置との間で角度運動される。当該運動位置において、工具４は延在構成要素３に対して接合軸ｙ−ｙについて角度運動され、掛金要素５が予見される場合は、掛金要素５も延在構成要素３に対して接合軸ｚ−ｚについて角度運動される。掛金要素５は作業工具４と同じ回転方向に角度運動する。
【００６５】
このステップの間、工具４の角度運動と、掛金要素５が予見される場合、掛金要素５の角度運動とは、工具４またはその自由端４ａに対してリムＷまたはタイヤＴによって加えられる反力によって得られる。
【００６６】
したがって、工具４は、自由端４ａがリムの軸ｑ−ｑにより近い状態で、かつ、第２の端部４ｂがこのような軸ｑ−ｑからより離れた状態で、実質的に傾斜するよう配され得、さらに、工具４は、タイヤＴの第１のビードＴ１の部分を把持する。
【００６７】
所望の場合、タイヤＴとリムＷとの間の工具４の挿入を促進するために、このようなステップの間、たとえば支持手段１８の回転を通じてタイヤ付ホイールＴＷを回転するようにすることも可能である。
【００６８】
工具４がその自由端４ａによってタイヤＴの第１のビードＴ１の部分を把持した後、作動手段９は後方に駆動されて、延在構成要素３を収縮位置の中または収縮位置の方に後方に移動し（図１０−図１１の間のステップ）、これにより、第１の位置の方にまたは第１の位置へと工具４を戻し、したがって、タイヤＴの第１のビードＴ１の把持された部分と一緒に以前と反対の方向に回転する。これは、工具４が、リムのそれぞれの第１の縁部Ｗ１を越えて、または、リムＷの第１の縁部Ｗ１と第２の縁部Ｗ２の間とのゾーンの外側へと、タイヤの第１のビードＴ１の把持された部分を引っ張ることを意味する。掛金要素５が予見される場合、このステップの間、掛金要素５は、以前と反対の方向に回転または角度運動され、静止トリムの中または静止トリムに向かって戻される。
【００６９】
その後、タイヤ付ホイールＴＷまたは装置１をホイールＴＷについて回転するようにすることにより、リムのそれぞれの第１の縁部Ｗ１を越えるか、または、リムＷの第１の縁部Ｗ１と第２の縁部Ｗ２との間のゾーンの外側に第１のビードＴ１全体を移動させることによって、タイヤＴの第１のビードＴ１の取り外しを完了することが可能である。
【００７０】
その後、タイヤの第２のビードＴ２は、第１の縁部Ｗ１の方へ第２のビードＴ２を移動してリムのそれぞれの第１の縁部Ｗ１を越えてリムＷの第１の縁部Ｗ１と第２の縁部Ｗ２との間のゾーンの外側に第２の周辺ビードＴ２の経路を決定するように、本発明に従った装置を用いて、別の公知の装置を用いて、または、タイヤＴを押すことによって取り外され得る。
【００７１】
その後、取り外された第１のホイールと同じ寸法を有する別のまたは第２のタイヤ付ホイールが取り外されるべきである場合であって、支持構成要素２が基部にヒンジ付けされた場合に、横転位置に支持構成要素２を移動させて、第１のホイールＴＷから離れるように工具４を移動させ、支持および制限手段からそれを解放し、その後、別のタイヤ付ホイールＴＷを支持手段１８に配して、リムを適切な位置にロックすることが可能である。その点において、このような第２のホイールのビードのビード破壊を行った後、取り外しを開始するよう適切な位置に装置を移動するためには、横転位置から作動位置まで支持構成要素２の角度運動を駆動することで十分である。
【００７２】
他方、タイヤＴをリムＷにマウントするためには、所望の場合、たとえば、当該方法のステップの間に工具４を補助するローラなどのような補助工具を使用して、装置の作用の位置に対して角度運動される位置にタイヤの部分を押すことによって、上述されたものと実質的に逆のことが行なわれる。
【００７３】
理解されるであろうように、本発明に従った装置および方法は、効率的かつ迅速な態様で容易にリムにタイヤを取り付けかつリムからタイヤを取り外すことを可能にする。
【００７４】
ＥＰ１３９８１８４Ｂ１またはＥＰ１１７７９２０Ｂ１によって教示されるもののように工具の運動のためのアクチュエータを用いてタイヤ付ホイールを取り付けおよび／または取り外しをするためのほとんどの装置と異なり、本発明に従った装置は、より簡易な構造を有しており、さらに、工具はリムまたはタイヤ付ホイールの反力の関数として角度運動され、これにより、ホイールの構成要素を破壊することなくホイールの構成要素のプロファイルに追従するように工具が角度運動されるので、より良好な取り付けおよび取り外しが可能になる。作動手段９は、一方では工具４を押し、または所望の場合には工具４の重量を支持するように作用しても、実際には、摺動方向Ａ−Ａに沿って、延在またはステム構成要素３のみを移動させ、所望の場合には、工具のようなそれらに接合される構成要素を移動させ、予見される場合には、掛金要素５を移動させる。したがって、作動手段は、工具の角度運動を決定せず、リムの回転軸と実質的に平行なその移動のみを決定し、工具の角度運動と、予見される場合には、掛金要素５の角度運動とは、リムおよび／またはタイヤによってそれに加えられる反力の関数として得られる。
【００７５】
他方、たとえばＥＰ１７１４８０７Ｂ１またはＥＰ２５２４８２１Ｂ１を参照して、本発明に従った装置はこのような先行技術特許とは異なる構造を有しており、現状技術に従った装置と比較して工具のより迅速かつより効率的な作動を保証するために、たとえば工具を押すよう意図される延在またはステム構成要素を含む。さらに、本発明に従った装置において、ＥＰ１７１４８０７Ｂ１またはＥＰ２５２４８２１Ｂ１において教示される装置と異なり、取り付け・取り外しステップのほとんどについてアームまたは支持構成要素は静的のままである一方、延在またはステム構成要素が移動される。さらに、本発明に従った装置の延在またはステム構成要素は、所望の場合、作業工具の重量を支持し、これは、今まで提案された先行技術ソリューションにおいて存在せず先行技術ソリューションから導出され得ない特徴である。
【００７６】
また、本発明に従った装置が、基部１３にヒンジ付けされた支持構成要素２を備える場合、第１のホイールが取り付けまたは取り外しされた後にホイールの取り付けまたは取り外しを始めるために適切な位置に装置を非常に迅速に位置決めすることが保証される。なぜならば、上に示されるように、これを行うためには、横転位置から作動位置まで支持構成要素２の角度運動を駆動することで十分であるからである。
【００７７】
本発明の修正例および変形例は、特許請求の範囲によって規定される保護の範囲内で可能である。
【図１】
0006632241.tif 000002
【図２】
0006632241.tif 000003
【図３】
0006632241.tif 000004
【図４】
0006632241.tif 000005
【図５】
0006632241.tif 000006
【図６】
0006632241.tif 000007
【図７】
0006632241.tif 000008
【図８】
0006632241.tif 000009
【図９】
0006632241.tif 000010
【図１０】
0006632241.tif 000011
【図１１】
0006632241.tif 000012